(57)【要約】      （修正有）【課題】容易に溶接され、そして、溶接漏れと溶け込み不足がない効果が得られる、カード読取装置を提供する。【解決手段】絶縁主体と、少なくとも一つの信号端子組と、裏押さえ板と、上金属枠体とからなるカード読取装置であり、当該裏押さえ板は、金属部品とプラスチック部品で、インサート成形により作製され、当該裏押さえ板の強度がよくなったため、変形や揺れにならず、信号端子の溶接部の上縁に確実に圧接されることにより、信号端子の溶接部の平坦性が高め、容易に溶接され、溶接漏れと溶け込み不足を防止する効果が得られ、また、当該絶縁主体上には、当該裏押さえ板の上縁を押さえる上金属枠体が設けられ、当該裏押さえ板は、より確実に、信号端子の溶接部上に圧接される。また、当該裏押さえ板上には、複数の開口が設けられ、浸漬蝋付により、信号端子の溶接部を回路基板に溶接する過程において、気流が、スムーズに流れる。【選択図】図１
0003109585.tif 000002
【実用新案登録請求の範囲】
【請求項１】
カード収納空間がある、絶縁主体と、
当該絶縁主体上に設けられる、一端が当該絶縁主体の後端まで延ばして溶接部を形成し、もう一端が当該カード収納空間内へ延ばして接触部を形成する、複数の信号端子が含有される、少なくとも一つの信号端子組と、
一体化に連接される金属部品とプラスチック部品が含有され、プラスチック部品の下縁がこれらの信号端子の溶接部の上縁に圧接されるように、当該絶縁主体の後端に連接される、裏押さえ板と、
を有する、
ことを特徴とする、カード読取装置。
【請求項２】
当該絶縁主体には、ベース部と二つの当該ベース部に連接される両端が平行的に延ばすアーム部とがあり、当該ベース部と当該二つのアーム部との間には、当該カード収納空間が形成される、ことを特徴とする、請求項１に記載のカード読取装置。
【請求項３】
当該二つのアーム部の内縁においては、後端の近くに、二つの対向する連接槽が設置され、当該裏押さえ板の両側には、金属部品から両側へ延ばすように、二つの連接部が形成され、当該裏押さえ板の両側の連接部が、当該絶縁主体の二つのアーム部の連接槽に挿着される、ことを特徴とする、請求項２に記載のカード読取装置。
【請求項４】
当該裏押さえ板の金属部品とプラスチック部品は、インサート成形により、一体に連接される、ことを特徴とする、請求項１に記載のカード読取装置。
【請求項５】
当該裏押さえ板上には、開口が設けられる、ことを特徴とする、請求項１に記載のカード読取装置。
【請求項６】
当該絶縁主体上には、更に、上部板と両側面板を有する上金属枠体が、設けられ、当該上金属枠体の上部板が、当該裏押さえ板の上縁を押さえる、ことを特徴とする、請求項１に記載のカード読取装置。
【請求項７】
当該裏押さえ板の上縁には、裏押さえ板の上縁が凹むことにより形成される支承部が、設けられ、当該上金属枠体の上部板は、当該裏押さえ板の上縁の支承部を押さえる、ことを特徴とする、請求項６に記載のカード読取装置。
【請求項８】
当該上金属枠体の上部板後端から下へ延ばすように、当該裏押さえ板の裏側を当接する、ストッパーが形成される、ことを特徴とする、請求項６に記載のカード読取装置。
【請求項９】
当該上金属枠体上の後端には、開口が設けられる、ことを特徴とする、請求項６に記載のカード読取装置。
【請求項１０】
当該上金属枠体上において、当該開口と隣接するところには、補助リブが設けられる、ことを特徴とする、請求項９に記載のカード読取装置。
【請求項１１】
当該上金属枠体の両側面板上には、夫々、複数の係合穴が設けられ、また、当該絶縁主体の両側の外縁には、夫々、複数の係合ブロックが設けられ、これらの係合ブロックとこれらの係合穴との互いに係合することにより、当該上金属枠体と当該絶縁主体とが係合され、一体化になる、ことを特徴とする、請求項６に記載のカード読取装置。
【請求項１２】
当該上金属枠体においては、少なくとも一側に、係合部品が設けられ、また、当該絶縁主体上には、対応する係合部品が設けられ、当該二つの係合部品は、互いに係合される、ことを特徴とする、請求項６に記載のカード読取装置。
【考案の詳細な説明】
【技術分野】
【０００１】
本考案は、カード読取装置に関し、特に、回路基板上にセットされ、電子カードが挿入されて、電子カードと回路基板との間において信号を転送するカード読取装置に関する。
【背景技術】
【０００２】
最近、電子カードが、メッセージ処理の領域に広く応用されるため、当該電子カードを挿着するカード読取装置が登場し、当該カード読取装置は、電子カードが挿着されるために、電子製品の回路基板上にセットされ、これにより、電子カードと回路基板とが、電気的に接続され、電子カードと回路基板との間において、信号が転送されるため、当該電子カードと電子製品との間において、情報の取り扱いができる。
【０００３】
今において、電子カードは、様々の規格や大きさがあるため、種類が多くて、複数・イン・オン（例えば、スリー・イン・オン、フォー・イン・オン、ファイブ・イン・オン等）のカード読取装置が登場する。これらのカード読取装置には、多種類の電子カードが挿着されるため、内部に、複数の対応する信号端子組が設置され、これにより、異なる電子カードが、対応する信号端子組に、電気的に接続される。
【０００４】
上記の信号端子組の信号端子の溶接部は、カード読取装置の絶縁主体の後端まで延ばし、プラスチック材からなる裏押さえ板によって、これらの信号端子の溶接部の上縁に圧接されるため、信号端子の溶接部に、良い平坦性が与えられ、容易に溶接され、そして、溶接漏れと溶け込み不足のない効果が得られる。
【０００５】
しかしながら、上記の従来のカード読取装置は、その裏押さえ板全体が、プラスチック材からなるため、強度が良くないし、また、当該裏押さえ板が長い板体であるから、容易に、変形や揺れになり、確実に信号端子の溶接部の上縁に圧接することが困難で、これにより、裏押さえ板は、予期な圧接機能が発揮せず、また、信号端子の溶接部の平坦性が良くないため、溶接が容易ではなく、そして、溶接漏れと易溶け込み不足等の問題が解決されない。
【０００６】
更に、上記の裏押さえ板は、長い板体であるため、カード読取装置の絶縁主体の後端に設置されると、カード読取装置の後端に、閉止される状態になり、浸漬蝋付により、信号端子の溶接部を回路基板に溶接する過程で、気流がスムーズに流れることができないから、溶け込み不足等の問題が、よく起こり、不良率の悪化だけでなく、その電気機能にも悪影響を与える。
【０００７】
そのため、上述のように、上記の従来のカード読取装置は、実用上において、不便や欠陥が存在するため、改善するスペースがある。
【０００８】
本考案者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００９】
本考案の主な目的は、その裏押さえ板が、確実的に信号端子の溶接部の上縁に圧接され、そして、裏押さえ板が確実的に予期の圧接機能を発揮でき、信号端子の溶接部によい平坦性があるため、容易に溶接され、そして、溶接漏れと溶け込み不足がない効果が得られる、カード読取装置を提供する。
【００１０】
本考案の他の目的は、カード読取装置の後端に、開口部が形成されるため、浸漬蝋付により、信号端子の溶接部を回路基板に溶接する過程において、気流がスムーズに流れるため、溶け込み不足等の問題が起こさず、不良率を有効的に改善され、そして、信号端子が、確実的に回路基板上に溶接されるため、より良い電気機能が得られる、カード読取装置を提供する。
【００１１】
本考案カード読取装置は、上記の目的を達成するため、カード収納空間がある、絶縁主体と、当該絶縁主体上に設けられる、一端が当該絶縁主体の後端まで延ばして溶接部を形成し、もう一端が当該カード収納空間内へ延ばして接触部を形成する、複数の信号端子が含有される、少なくとも一つの信号端子組と、一体化に連接される金属部品とプラスチック部品が含有され、プラスチック部品の下縁がこれらの信号端子の溶接部の上縁に圧接されるように、当該絶縁主体の後端に連接される、裏押さえ板と、を有する。
【００１２】
図面を参照しながら、本考案に係わる技術の特徴や目的及び効果を、以下の実施例により、詳しく説明する。
【考案を実施するための最良の形態】
【００１３】
図１乃至図３を参照しながら、本考案に係わるカード読取装置には、絶縁主体１と、第１の信号端子組２と、第２の信号端子組３と、第３の信号端子組４と、裏押さえ板５と、上金属枠体６とがあり、プラスチック材からなる当該絶縁主体１には、ベース部１１と二つの当該ベース部１１に連接される両端が平行的に延ばすアーム部１２とがあり、当該ベース部１１と当該二つのアーム部１２との間には、電子カードが挿着可能なカード収納空間１３が形成される。また、当該二つのアーム部１２の内縁において、後端の近くに、アーム部１２の頂部から底部まで延ばす、対向する二つの連接槽１４が設置される。
【００１４】
これらの第１の信号端子組２、第２の信号端子組３、第３の信号端子組４には、夫々に、導電性が良いかつ弾性材である金属材からなる、複数の信号端子２１、３１、４１が含有され、当該複数の信号端子２１、３１、４１は、間隔を置くように、当該絶縁主体１のベース部１１上に実装され（これらの信号端子組２、３、４の信号端子２１、３１、４１は、当該絶縁主体１に実装する前、夫々一体に連接され、当該絶縁主体１に実装した後、切り分けることにより、隔離状態になる）、これらの信号端子２１、３１、４１は、カードの進行方向と排出方向に沿って延ばす。
【００１５】
各信号端子２１、３１、４１の一端は、絶縁主体１の後端まで延ばして溶接部２２、３２、４２を形成し、これらの溶接部２２、３２、４２は、夫々、信号端子２１、３１、４１の後端が湾曲して延ばすように、形成され、適当な間隔を置いて、一列になるように、絶縁主体１の後端まで延ばし、これにより、回路基板上に溶接され、当該回路基板に電気的に接続される。各信号端子２１、３１、４１のもう一端は、当該カード収納空間１３内まで延ばして、接触部２３、３３、４３を形成し、これらの接触部２３、３３、４３は、信号端子２１、３１、４１の前端が湾曲して延ばすように、形成され、これらの信号端子２１、３１、４１の接触部２３、３３、４３は、夫々、カード収納空間１３内の前段、中段及び後段に位置し、夫々、当該カード収納空間１３内に挿着される電子カードと接触して、電気的に接続される。
【００１６】
当該裏押さえ板５には、金属部品５１とプラスチック部品５２があり、当該金属部品５１とプラスチック部品５２は、インサート成形（insert-molding）により作製され、当該金属部品５１とプラスチック部品５２とは、一体に連接されるように、夫々、上、下方に設けられる。当該裏押さえ板５上には、間隔を置いて複数の開口５３が設けられ、これらの開口５３の形状や大きさ及び数は、限定されなく、必要に応じて、適当に変更できる。当該裏押さえ板５の両側には、連接部５４が形成され、当該二つの連接部５４は、金属部品５１の両側の上端から下へ延ばすように形成され、当該二つの連接部５４の下端は、自由端のように形成されるため、多少の弾性がある。当該裏押さえ板５の上縁には、更に、支承部５５が設けられ、当該支承部５５は、裏押さえ板５の上縁が凹むことにより形成される。当該裏押さえ板５の両側の連接部５４が、当該絶縁主体１の二つのアーム部１２の連接槽１４中に挿着されることにより、当該裏押さえ板５は、当該絶縁主体１の後端に連接され、そして、当該裏押さえ板５のプラスチック部品５２の下縁で、これらの信号端子２１、３１、４１の溶接部２２、３２、４２の上縁を圧接する。
【００１７】
当該上金属枠体６は、金属材からなり、当該絶縁主体１上に設置されることによって、より良い電磁遮蔽效果が得られ、電磁干渉を防止できる。当該上金属枠体６は、上部板６１と当該上部板６１の両側から下へ延ばすように形成される側面板６２が含有され、当該両側面板６２上には、夫々、複数の係合穴６３が設けられ、また、当該絶縁主体１の二つのアーム部１２の外縁には、夫々、複数の、係合穴６３と対応する係合ブロック１５が設けられ、これらの係合ブロック１５とこれらの係合穴６３と互いに係合することにより、当該上金属枠体６と当該絶縁主体１とが係合され、一体化になる。また、当該上金属枠体６において、少なくとも一側に、係合部品６７が設けられ、また、当該絶縁主体１上には、対応する係合部品１６が設けられ、当該二つの係合部品６７と１６とが互いに係合することにより、当該上金属枠体６と当該絶縁主体１との係合がより確実的である。
【００１８】
当該上金属枠体６の上部板６１が、裏押さえ板５の上縁の支承部５５を押さえることにより、当該裏押さえ板５は、更に、確実的に、これらの信号端子２１、３１、４１の溶接部２２、３２、４２の上縁に圧接できる。当該上金属枠体６の上部板６１の後端は、適当に下へ延ばして、当該裏押さえ板５の裏側に当接する、ストッパー６４を形成するため、当該裏押さえ板５は、更に安定的である。当該上金属枠体６の上部板６１上において、後端には、間隔を置くように、複数の開口６５が設けられ、これらの開口６５の形状や大きさ及び数は、限定されなく、また、当該上金属枠体６の上部板６１の上において、開口６５と隣接するところには、プレスにより、強度を向上するための、複数の補助リブ６６が形成され、上記の構成により、本考案に係わるカード読取装置が形成される。
【００１９】
電子カード（図に表示せず）を挿着する時、当該電子カードは、カードの進行方向に沿って押されて、当該カード収納空間１３内に挿着され、これにより、カードが装着され、そして、当該電子カード上にある電気接点は、信号端子２１、３１、４１の接触部２３、３３、４３に対応して接触することにより、電気的に接続され、これにより、当該電子カードは、カード読取装置を介して、回路基板に電気的に接続される。電子カードを排出する時、排出機構（図に表示せず）により、電子カードが排出される。
【００２０】
本考案に係わるカード読取装置は、少なくとも、以下のような、利点がある。
【００２１】
１、本考案に係わる裏押さえ板５は、インサート成形で、金属材からなる金属部品５１があるため、強度がより良くなり、容易に変形や揺れにならず、そして、確実的に信号端子２１、３１、４１の溶接部２２、３２、４２の上縁に圧接されることにより、信号端子２１、３１、４１の溶接部２２、３２、４２の平坦性がより良くなり、容易に溶接され、溶接漏れと溶け込み不足がない効果が得られる。
【００２２】
２、本考案によれば、絶縁主体１上に、上金属枠体６が設けられ、当該上金属枠体６で、裏押さえ板５の上縁を押さえることにより、裏押さえ板５は、更に、確実的に、信号端子２１、３１、４１の溶接部２２、３２、４２の上を圧接する。
【００２３】
３、本考案によれば、裏押さえ板５と上金属枠体６との上に、複数の開口５３、６５が設けられることにより、カード読取装置の後端には、開口部が形成され、浸漬蝋付により、信号端子の溶接部を回路基板に溶接する過程において、気流がスムーズに流れ（対流）、溶け込み不足等の問題が起こさず、有効的に産出高を向上し、そして、信号端子の溶接部が、確実的に、回路基板上に溶接されるため、より良い電気機能が得られる。
【００２４】
以上の陳述のように、本考案は、従来のカード読取装置の諸欠陥を解決でき、産業上の利用性や新鋭性及び進歩性があり、実用新案登録請求の要件に満たすため、法に従って出願する。
【００２５】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００２６】
【図１】本考案の分解斜視図。
【図２】本考案のもう一つの角度の分解斜視図。
【図３】本考案の斜視図。
【符号の説明】
【００２７】
１    絶縁主体
１１  ベース部
１２  アーム部
１３  カード収納空間
１４  連接槽
１５  係合ブロック
１６  係合部品
２    第１の信号端子組
２１  信号端子
２２  溶接部
２３  接触部
３    第２の信号端子組
３１  信号端子
３２  溶接部
３３  接触部
４    第３の信号端子組
４１  信号端子
４２  溶接部
４３  接触部
５    裏押さえ板
５１  金属部品
５２  プラスチック部品
５３  開口
５４  連接部
５５  支承部
６    上金属枠体
６１  上部板
６２  側面板
６３  係合穴
６４  ストッパー
６５  開口
６６  補助リブ
６７  係合部品
【図１】
0003109585.tif 000003
【図２】
0003109585.tif 000004
【図３】
0003109585.tif 000005